(57)【要約】【課題】表示装置に対する画像情報の入力状態の変化を利用者が把握し難い。【解決手段】表示装置に設けられるＮ個の入力インターフェースに画像情報が未入力の場合、各入力インターフェースを示す識別画像を各表示領域に１対１に表示するホーム画面を表示部４０に表示させるホーム画面表示処理ＳＡ１００と、一の入力インターフェースが入力の状態に変化したかを判定する判定処理ＳＡ１１０と、該判定結果が肯定である場合、識別画像を表示中の表示領域のうち画像を表示する順位を示す優先度が最も高い表示領域を特定する特定処理ＳＡ１２０と、該特定された表示領域には一の入力インターフェースに入力中の画像を表示させ、より優先度の低い表示領域には未入力の状態の入力インターフェースの識別画像を表示させるホーム画面情報更新処理ＳＡ１３０と、を含む制御方法を提供する。【選択図】図６
2020201371.tif 000002
【特許請求の範囲】
【請求項１】
画像情報を入力するためのＮ（Ｎは２以上の整数）個の入力インターフェースと表示面に表示画像を表示する表示部とを備える表示装置の制御方法であって、
前記Ｎ個の入力インターフェースのいずれにも画像情報が未入力の状態において、表示画像に設けられるＮ個の表示領域に１対１に対応して前記Ｎ個の入力インターフェースの各々を識別するＮ個の識別画像を前記表示部に表示させ、
前記Ｎ個の入力インターフェースのうち、一の入力インターフェースに画像情報が未入力の状態から入力の状態に変化したかを判定し、
前記判定の結果が肯定である場合、前記Ｎ個の表示領域に対して予め定められた画像情報を表示する順位を示す優先度に従って、前記Ｎ個の表示領域のうち識別画像を表示中の一又は複数の表示領域の中から、前記優先度が最も高い一の表示領域を特定し、
前記判定の結果が肯定である場合、前記一の表示領域に、前記一の入力インターフェースに入力された画像情報に基づく画像を前記表示部に表示させ、
前記判定の結果が肯定である場合、前記一の表示領域よりも前記優先度の低い一又は複数の表示領域に１対１に対応して一又は複数の識別画像を前記表示部に表示させ、
前記一又は複数の識別画像は、前記画像情報が入力されていない一又は複数の入力インターフェースの各々と１対１に対応する、表示装置の制御方法。
【請求項２】
前記Ｎ個の入力インターフェースは、第１番目から第Ｎ番目の入力インターフェースであり、
前記一の表示領域よりも前記優先度の低い一又は複数の表示領域に１対１に対応して、前記優先度の高い順に、画像情報が入力されていない一又は複数の入力インターフェースの番号の若い順に前記一又は複数の識別画像を前記表示部に表示させる、
請求項１に記載の表示装置の制御方法。
【請求項３】
前記Ｎ個の識別画像は、前記Ｎ個の入力インターフェースと１対１に対応するＮ個のアイコンである、請求項１又は請求項２に記載の表示装置の制御方法。
【請求項４】
前記表示画像は、第１ページの画像と第２ページの画像とを含み、
前記Ｎ個の表示領域のうち前記優先度が高い順にＭ（１≦Ｍ＜Ｎ）個の表示領域は前記第１ページの画像に設けられ、残りのＮ−Ｍ個の表示領域は前記第２ページの画像に設けられ、前記表示画像をページ単位で前記表示装置に表示させる、請求項１乃至３のいずれか１項に記載の表示装置の制御方法。
【請求項５】
前記第１ページの画像及び前記第２ページの画像のうち前記一の表示領域が設けられていないページの画像が前記表示部に表示される状態において、前記判定の結果が肯定である場合、前記一の表示領域が設けられているページの画像を前記表示部に表示させる、請求項４に記載の表示装置の制御方法。
【請求項６】
画像情報を入力するためのＮ（Ｎは２以上の整数）個の入力インターフェースと表示面に表示画像を表示する表示部とを備える表示装置の制御方法であって、
前記Ｎ個の入力インターフェースのうちのＫ（１≦Ｋ≦Ｎ）個に画像情報が入力されている状態において、表示画像に設けられるＮ個の表示領域のうち、予め定められた画像情報を表示する順位を示す優先度の高いＫ個の表示領域には、１対１に対応して前記Ｋ個の画像情報の各々の示すＫ個の画像を表示させ、
前記Ｋ個の表示領域のうち前記優先度がｊ（１≦ｊ＜Ｋ）番目の表示領域に対応する一の入力インターフェースについて画像情報が入力の状態から未入力の状態に変化したかを判定し、
前記判定の結果が肯定である場合、前記優先度がｊ＋１番目からＫ番目までの一又は複数の表示領域に１対１に対応して表示させる一又は複数の画像を、前記優先度がｊ番目からＫ−１番目までの一又は複数の表示領域に１対１に対応させて表示させ、
前記判定の結果が肯定である場合、前記一の入力インターフェースに対応する識別画像を、前記優先度がＫ番目からＮ番目までの一又は複数の表示領域の一つに表示させる、表示装置の制御方法。
【請求項７】
表示面に表示画像を表示する表示部と、
前記表示面に表示させる画像を表す画像情報を入力するためのＮ（Ｎは２以上の整数）個の入力インターフェースと、
前記Ｎ個の入力インターフェースのいずれにも画像情報が未入力の状態において、前記表示画像に設けられるＮ個の表示領域に１対１に対応して前記Ｎ個の入力インターフェースの各々を識別するＮ個の識別画像を前記表示部に表示させる表示制御部と、
前記Ｎ個の入力インターフェースのうち、一の入力インターフェースに画像情報が未入力の状態から入力の状態に変化したかを判定する判定部と、
前記判定部による判定結果が肯定である場合、前記Ｎ個の表示領域に対して予め定められた画像情報を表示する順位を示す優先度に従って、前記Ｎ個の表示領域のうち識別画像を表示中の一又は複数の表示領域の中から、前記優先度が最も高い一の表示領域を特定する特定部と、を備え、
前記表示制御部は、
前記一の入力インターフェースに入力された画像情報に基づく画像を前記一の表示領域に表示させ、
前記一の表示領域よりも前記優先度の低い一又は複数の表示領域に１対１に対応して、一又は複数の識別画像を前記表示部に表示させ、
前記一又は複数の識別画像は、画像情報が入力されていない一又は複数の入力インターフェースと１対１に対応する、表示装置。
【発明の詳細な説明】
【技術分野】
【０００１】
本発明は、表示装置の制御方法、及び表示装置に関する。
【背景技術】
【０００２】
表示装置の一例として、入力端子等を含む入力インターフェースに入力される画像情報の表す画像をスクリーン等に投影するプロジェクターが挙げられる。特許文献１には、入力中の画像情報の表す画像を入力端子一覧にプレビュー表示する表示装置が開示されている。
【先行技術文献】
【特許文献】
【０００３】
【特許文献１】特開２００５−２５８２９１号公報
【発明の概要】
【発明が解決しようとする課題】
【０００４】
近年の表示装置は入力インターフェースを多数備えている。入力インターフェースの数が多くなると、入力インターフェースに入力中の画像情報の表す画像を入力端子一覧にプレビュー表示しても、画像情報の入力開始又は入力途絶等の入力状態の変化を利用者が把握し難くなる、という課題があった。
【課題を解決するための手段】
【０００５】
以上の課題を解決するために、本発明に係る表示装置の制御方法は、画像情報を入力するためのＮ（Ｎは２以上の整数）個の入力インターフェースと表示面に表示画像を表示する表示制御部とを備える表示装置の制御方法であって、前記Ｎ個の入力インターフェースのいずれにも画像情報が未入力の状態において、表示画像に設けられるＮ個の表示領域に１対１に対応して前記Ｎ個の入力インターフェースの各々を識別するＮ個の識別画像を前記表示部に表示させ、前記Ｎ個の入力インターフェースのうち、一の入力インターフェースに画像情報が未入力の状態から入力の状態に変化したかを判定し、前記判定の結果が肯定である場合、前記Ｎ個の表示領域に対して予め定められた画像情報を表示する順位を示す優先度に従って、前記Ｎ個の表示領域のうち識別画像を表示中の一又は複数の表示領域の中から、前記優先度が最も高い一の表示領域を特定し、前記判定の結果が肯定である場合、前記一の表示領域に、前記一の入力インターフェースに入力された画像情報に基づく画像を前記表示部に表示させ、前記判定の結果が肯定である場合、前記一の表示領域よりも前記優先度の低い一又は複数の表示領域に１対１に対応して一又は複数の識別画像を前記表示部に表示させ、前記一又は複数の識別画像は、前記画像情報が入力されていない一又は複数の入力インターフェースの各々と１対１に対応する、ことを特徴とする。
【０００６】
また、上記解題を解決するために、本発明に係る表示装置の制御方法は、画像情報を入力するためのＮ（Ｎは２以上の整数）個の入力インターフェースと表示面に表示画像を表示する表示部とを備える表示装置の制御方法であって、前記Ｎ個の入力インターフェースのうちのＫ（１≦Ｋ≦Ｎ）個に画像情報が入力されている状態において、表示画像に設けられるＮ個の表示領域のうち、予め定められた画像情報を表示する順位を示す優先度の高いＫ個の表示領域には、１対１に対応して前記Ｋ個の画像情報の各々の示すＫ個の画像を表示させ、前記Ｋ個の表示領域のうち前記優先度がｊ（１≦ｊ＜Ｋ）番目の表示領域に対応する一の入力インターフェースについて画像情報が入力の状態から未入力の状態に変化したかを判定し、前記判定の結果が肯定である場合、前記優先度がｊ＋１番目からＫ番目までの一又は複数の表示領域に１対１に対応して表示させる一又は複数の画像を、前記優先度がｊ番目からＫ−１番目までの一又は複数の表示領域に１対１に対応させて表示させ、前記判定の結果が肯定である場合、前記一の入力インターフェースに対応する識別画像を、前記優先度がＫ番目からＮ番目までの一又は複数の表示領域の一つに表示させる、ことを特徴とする。
【０００７】
また、上記課題を解決するために、本発明に係る表示装置は、表示面に表示画像を表示する表示部と、前記表示面に表示させる画像を表す画像情報を入力するためのＮ（Ｎは２以上の整数）個の入力インターフェースと、前記Ｎ個の入力インターフェースのいずれにも画像情報が未入力の状態において、前記表示画像に設けられるＮ個の表示領域に１対１に対応して前記Ｎ個の入力インターフェースの各々を識別するＮ個の識別画像を前記表示部に表示させる表示制御部と、前記Ｎ個の入力インターフェースのうち、一の入力インターフェースに画像情報が未入力の状態から入力の状態に変化したかを判定する判定部と、前記判定部による判定結果が肯定である場合、前記Ｎ個の表示領域に対して予め定められた画像情報を表示する順位を示す優先度に従って、前記Ｎ個の表示領域のうち識別画像を表示中の一又は複数の表示領域の中から、前記優先度が最も高い一の表示領域を特定する特定部と、を備え、前記表示制御部は、前記一の入力インターフェースに入力された画像情報に基づく画像を前記一の表示領域に表示させ、前記一の表示領域よりも前記優先度の低い一又は複数の表示領域に１対１に対応して、一又は複数の識別画像を前記表示部に表示させ、前記一又は複数の識別画像は、画像情報が入力されていない一又は複数の入力インターフェースと１対１に対応する、ことを特徴とする。
【図面の簡単な説明】
【０００８】
【図１】本発明の一実施形態に係る表示装置１０を含む表示システム１の外観を示す概略図である。
【図２】同表示装置１０のハードウェア構成例及び機能構成例を示すブロック図である。
【図３】同表示装置１０の記憶部５０に記憶されているＩ／Ｆ管理情報Ｄ１の内容の一例を示す図である。
【図４】同表示装置１０の記憶部５０に記憶されているホーム画面情報Ｄ２に従って制御部７０が表示部４０に表示させるホーム画面の画面レイアウトの一例を示す図である。
【図５】同表示装置１０が表示するホーム画面ＨＳの一例を示す図である。
【図６】同表示装置１０の制御部７０が制御プログラムＰ１に従って実行する制御方法の流れを示すフローチャートである。
【図７】外部装置から表示装置１０へ入力される画像情報の表す画像の一例を示す図である。
【図８】同表示装置１０が表示するホーム画面ＨＳの一例を示す図である。
【図９】同表示装置１０が表示するホーム画面ＨＳの一例を示す図である。
【図１０】同表示装置１０が表示するホーム画面ＨＳの一例を示す図である。
【図１１】変形例（２）の表示装置が表示するホーム画面ＨＳの第１ページの画像ＨＳ−１一例を示す図である。
【図１２】変形例（２）の表示装置が表示するホーム画面ＨＳの第２ページの画像ＨＳ−２の一例を示す図である。
【発明を実施するための形態】
【０００９】
以下、図面を参照して実施の形態を説明する。ただし、各図において、各部の寸法及び縮尺は、実際のものと適宜に異ならせてある。また、以下に述べる実施の形態は、技術的に好ましい種々の限定が付されているが、実施の形態はこれらの形態に限られるものではない。
【００１０】
１．表示システムの概略  
図１は、本発明の実施形態に係る表示システム１の外観を概略的に示す図である。表示システム１は、プロジェクションシステムである。図１に示すように、表示システム１は、表示装置１０と端末装置１００と、を有する。表示装置１０は例えばプロジェクターである。端末装置１００は、表示装置１０に各種指示を与えるための装置であって、いわゆるリモートコントローラーが該当する。端末装置１００は、例えばスマートフォンであり、表示装置１０に通信可能に接続される。この接続は、無線であっても有線であってもよい。本実施形態における端末装置１００は、スマートフォンであるが、例えば、デスクトップ型のパーソナルコンピューター、ノート型パーソナルコンピューター、又はタブレット端末等であってもよい。端末装置１００については一般的なスマートフォンと特段に変わるところはないため詳細な説明を省略し、以下では表示装置１０を中心に説明する。
【００１１】
図１では図示を省略したが、表示装置１０には、端末装置１００の他に、表示装置１０に対して画像情報を供給する外部装置が通信可能に接続される。表示装置１０に接続される外部装置の具体例としては、パーソナルコンピューター又はＤＶＤ（Digital Versatile Disk）プレイヤー等が挙げられる。表示装置１０は、最大でＮ（Ｎは２以上の整数）個の外部装置を接続可能である。
【００１２】
表示装置１０は、自装置に接続される一の外部装置からの画像情報に基づく画像Ｇ、又は自装置に接続される複数の外部装置のうちのいずれか一の外部装置からの画像情報に基づく画像Ｇ、をスクリーンＳＣに投射する。これにより、表示装置１０による画像Ｇの表示が実現される。スクリーンＳＣの設置箇所としては、例えば、壁、床又はテーブル等が挙げられる。また、表示装置１０の設置箇所としては、例えば、天井、壁、床、テーブル、専用設置台等が挙げられる。
【００１３】
表示装置１０の利用者は、端末装置１００に対する操作により、表示装置１０の設定を変更可能である。当該設定としては、特に限定されないが、例えば、明るさ、コントラスト及び色の濃さ等の画質設定、入力解像度、アスペクト比及び表示位置等の映像設定、並びに幾何学歪み補正、ズーム及び音量等のその他の設定等が挙げられる。詳細については後述するが、表示装置１０は、外部装置から供給される画像情報の表す画像の他に、スクリーンＳＣに投射する画像を利用者に指定させるためのホーム画面の画像を表示可能である。表示装置１０の利用者は、端末装置１００に対する操作により、スクリーンＳＣに投射する画像を選択可能である。
【００１４】
２．表示装置の構成  
図２は、表示装置１０のハードウェア構成例及び機能構成例を示すブロック図である。表示装置１０は、図２に示すように、Ｉ／Ｆ（Interface）部２０、画像処理部３０、表示部４０、記憶部５０、及び制御部７０を有する。
【００１５】
Ｉ／Ｆ部２０は、入力インターフェース２１−１、２１−２…２１−Ｎと、リモコン通信部２２と、を備える。入力インターフェース２１−１〜２１−Ｎの各々は、表示装置１０に画像情報を入力する機能を有する。入力インターフェース２１−１〜２１−Ｎの各々には、表示装置１０に画像情報を供給する外部装置が接続される。図２には、入力インターフェース２１−１〜２１−Ｎのうちの入力インターフェース２１−２のみに外部装置２００が接続される場合が図示される。本実施形態では、入力インターフェース２１−ｉ（１≦ｉ≦Ｎ）には番号ｉが予め割り当てられている。つまり、入力インターフェース２１−１〜２１−Ｎは、第１番目から第Ｎ番目の入力インターフェースである。以下では、入力インターフェース２１−１〜２１−Ｎの各々を区別する必要が無い場合には、入力インターフェース２１と表記する。
【００１６】
Ｎ個の入力インターフェース２１の各々は、例えばＤ−ｓｕｂ又はＨＤＭＩインターフェース等である。なお、Ｎ個の入力インターフェース２１の規格は、同一であってもよく、異なっていてもよい。入力インターフェース２１は、外部装置から画像情報を入力できればよく、例えばＷｉ−Ｆｉ又はＢｌｕｅｔｏｏｔｈ等の無線通信インターフェースであってもよいし、ＵＳＢ、ＬＡＮ（Local Area Network）等の有線通信インターフェースであってもよい。ＨＤＭＩ、Ｗｉ−Ｆｉ及びＢｌｕｅｔｏｏｔｈは、それぞれ、登録商標である。以下、本実施形態では、Ｎ＝８であり、入力インターフェース２１−１〜２１−３がＨＤＭＩ、入力インターフェース２１−４がＣｏｍｐｕｔｅｒ，入力インターフェース２１−５がＳｃｒｅｅｎＭｉｒｒｏｒｉｎｇ、入力インターフェース２１−６がＷＩ−ＦＩ、入力インターフェース２１−７がＵＳＢ、入力インターフェース２１−８がＨＤＢａｓｅＴである場合について説明する。
【００１７】
リモコン通信部２２は、端末装置１００に無線通信を用いて接続可能である。具体的には、リモコン通信部２２は、例えば、Ｗｉ−Ｆｉ又はＢｌｕｅｔｏｏｔｈ等の無線通信インターフェースである。なお、利用者に各種設定等を行わせるための各種操作子を有する操作部を表示装置１０に設ける場合には、リモコン通信部２２は省略可能である。また、Ｎ個の入力インターフェース２１のうちの無線通信インターフェース又は有線通信インターフェースをリモコン通信部２２として用いてもよく、この場合、リモコン通信部２２をＮ個の入力インターフェース２１とは別個に設ける必要はない。
【００１８】
画像処理部３０は、Ｉ／Ｆ部２０から与えられる画像情報、又は制御部７０から与えられる画像情報に各種画像処理を施して表示情報を生成し、生成される表示情報を表示部４０に入力する回路である。画像処理部３０は、例えば、図示しないフレームメモリーを有する。画像処理部３０は、Ｉ／Ｆ部２０から与えられる画像情報又は制御部７０から与えられる画像情報を当該フレームメモリーに展開し、解像度変換処理、リサイズ処理、及び歪み補正処理等の各種処理を適宜施して表示情報を生成し、生成される表示情報を表示部４０に入力する。
【００１９】
表示部４０は、表示面であるスクリーンＳＣに画像光を投射して画像Ｇを表示する投影装置である。表示部４０は、光源４１、光変調装置４２、及び投射光学系４３を有する。
【００２０】
光源４１は、例えば、ハロゲンランプ、キセノンランプ、超高圧水銀ランプ、ＬＥＤ（Light Emitting Diode）又はレーザー光源等を含んで構成される。光源４１は、例えば、赤色、緑色及び青色の光をそれぞれ出射するか、又は白色の光を出射する。光源４１が白色の光を出射する場合、光源４１から出射される光は、図示しないインテグレーター光学系によって輝度分布のばらつきが低減され、その後、図示しない色分離光学系によって赤色、緑色及び青色の光に分離されて光変調装置４２に入射する。光変調装置４２は、当該赤色、緑色及び青色に対応して設けられる３つの光変調素子を含んで構成される。当該３つの光変調素子は、それぞれ、例えば、透過型の液晶パネル、反射型の液晶パネル又はデジタルミラーデバイス等を含んで構成される。当該３つの光変調素子は、当該赤色、緑色及び青色の光をそれぞれ変調して各色の画像光を生成する。光変調装置４２で生成される各色の画像光は、図示しない色合成光学系によって合成され、フルカラーの画像光となる。投射光学系４３は、当該フルカラーの画像光をスクリーンＳＣ上に結像させて投射させる。投射光学系４３は、少なくとも１つの投射レンズを含む光学系であり、ズームレンズ又はフォーカスレンズ等を含んでもよい。
【００２１】
記憶部５０は、Ｉ／Ｆ管理情報Ｄ１及びホーム画面情報Ｄ２と、制御部７０が実行する制御プログラムＰ１と、を記憶する記憶装置である。詳細については後述するが、Ｉ／Ｆ管理情報Ｄ１及びホーム画面情報Ｄ２は、制御プログラムＰ１の実行過程で制御部７０が参照又は更新する情報である。図２では詳細な図示を省略したが、記憶部５０は揮発性記憶部と不揮発性記憶部とを含む。揮発性記憶部とは、電力が供給されないと、記憶している情報を保持できない記憶装置のことをいい、不揮発性記憶部とは、電力が供給されなくても、記憶している情報を保持できる記憶装置のことをいう。揮発性記憶部の一例としてはＲＡＭ（Random Access Memory）が挙げられる。揮発性記憶部は、制御部７０により処理される情報を記憶するワークエリア、及び制御プログラムＰ１を実行する際のワークエリアとして利用される。不揮発性記憶部の一例としてはハードディスクが挙げられる。不揮発性記憶部には、制御プログラムＰ１、Ｉ／Ｆ管理情報Ｄ１及びホーム画面情報Ｄ２が予め記憶されている。なお、記憶部５０の一部又は全部は、表示装置１０の外部の記憶装置又はサーバー等に設けられてもよい。
【００２２】
図３は、Ｉ／Ｆ管理情報Ｄ１の一例を示す図である。図３に示すように、Ｉ／Ｆ管理情報Ｄ１は、Ｎ個の入力インターフェース２１の各々に割り当て済みの番号と、入力インターフェース２１−１〜２１−Ｎの各々を示すＮ個の識別情報とを１対１に対応付ける。Ｎ個の識別情報は、Ｎ個の入力インターフェース２１に１対１に対応する。Ｎ個の識別情報の各々は、入力インターフェース２１を識別するための識別画像を示す。本実施形態では、識別画像としてアイコンを例示するが、識別画像は入力インターフェース２１の名称を示す文字の画像であってもよい。
【００２３】
ホーム画面情報Ｄ２は、ホーム画面の画面レイアウトを規定する情報である。ホーム画面情報Ｄ２には、ホーム画面の表示位置を示す情報、水平走査方向及び垂直走査方向のホーム画面の大きさを示す情報、ホーム画面に設けられる表示領域の個数、位置及び大きさ、表示領域に表示する画像を示す情報、表示領域以外の部分の表示色を示す情報等が含まれる。詳細については後述するが、制御部７０は、ホーム画面情報Ｄ２を不揮発性記憶部から揮発性記憶部に読み出し、揮発性記憶部に読み出し済みのホーム画面情報Ｄ２に従ってホーム画面を表示する。図４は、ホーム画面情報Ｄ２が示すホーム画面の画面レイアウトの一例を示す図である。図４に示すように、本実施形態におけるホーム画面には、入力インターフェース２１の数と同数の表示領域、すなわち表示領域Ａ−１〜Ａ−Ｎが設けられる。図４に示すように、本実施形態におけるホーム画面には、水平走査方向Ｈに４列、垂直走査方向Ｖに２行の合計８個の表示領域が設けられる。以下では、表示領域Ａ−１〜Ａ−Ｎの各々を区別する必要がない場合には、表示領域Ａと表記する。ホーム画面情報Ｄ２には、表示領域Ａ−ｉの表示画像を示す情報として、ｉ番目の入力インターフェース２１−ｉを示すアイコンを示す識別情報が初期値として含まれている。
【００２４】
表示領域Ａは、入力インターフェース２１を示す識別画像、又は入力インターフェース２１に入力される画像情報に基づく画像を表示するための表示領域である。入力インターフェース２１に入力される画像情報に基づく画像とは、当該画像情報の表す画像を縮小して得られるサムネイル画像である。サムネイル画像は、静止画であってもよいし、あるいは、動画であってもよい。サムネイル画像が動画である場合、サムネイル画像は画像情報の表す画像を縮小して得られる。サムネイル画像が静止画である場合、サムネイル画像は画像情報の表す画像を縮小してキャプチャして得られる。サムネイル画像が動画である場合、処理負荷が大きくなる。そこで、サムネイル画像が動画である場合、画像情報のフレームレートを低下させてサムネイル画像を生成してもよい。
【００２５】
表示領域Ａ−１〜Ａ−Ｎには、画像情報に基づく画像を表示する順位を表す優先度が各表示領域の表示位置に応じて予め定められている。具体的には、１つの行に属する４つの表示領域Ａについては、左側から右側へ向かう方向、すなわち水平走査方向Ｈに沿った順に、画像情報を表示する順位が低くなるように優先度が定められている。また、互いに異なる２つの行では、下側の行の左端の表示領域Ａの順位が上側の行の右端に位置する表示領域Ａの順位よりも低くなるように、優先度が定められている。つまり、図４に示す画面レイアウトのホーム画面では、表示領域Ａ−１の優先度が最も高く、以下、表示領域Ａ−２、Ａ−３、Ａ−４、Ａ−５、Ａ−６、Ａ−７、Ａ−８の順である。このように優先度を定めたのは、日本語又は英語のように左から右へ、上から下へ文章を綴る言語を母国語とする者にとっては、文章の起点となる左上隅に注意が向き易いことを考慮したためである。表示装置１０の利用者がアラビア語の様に右から左へ文章を綴る言語を母国語とする者である場合には、１つの行に属する４つの表示領域Ａについて、右側から左側へ向かう方向の順に、画像情報を表示する順位が低くなるように優先度を定めてもよい。
【００２６】
制御部７０は、表示装置１０の各部を制御する機能、及び各種情報を処理する機能を有する処理装置である。制御部７０は、例えば、ＣＰＵ（Central Processing Unit）等のプロセッサーを含んで構成される。制御部７０は、記憶部５０に記憶される制御プログラムＰ１を実行することによって、後述する機能部を含む各種機能を実現する。なお、制御部７０は、単一のプロセッサーで構成されてもよいし、複数のプロセッサーで構成されてもよい。また、制御部７０の機能の一部又は全部を、ＤＳＰ（Digital Signal Processor）、ＡＳＩＣ（Application Specific Integrated Circuit）、ＰＬＤ（Programmable Logic Device）、ＦＰＧＡ（Field Programmable Gate Array）等のハードウェアで実現してもよい。また、制御部７０は、前述の画像処理部３０と一体でもよい。
【００２７】
図２に示すように、制御部７０は、制御プログラムＰ１を記憶部５０から読み出して実行することによって、表示制御部７１と、第１判定部７２及び第２判定部７３と、特定部７４として機能する。
【００２８】
表示制御部７１は、制御プログラムＰ１の実行開始時にホーム画面情報Ｄ２を不揮発性記憶部から揮発性記憶部へ読み出す。そして、表示制御部７１は、ホーム画面を表示部４０に表示させるための画像情報を揮発性記憶部に読み出し済みのホーム画面情報Ｄ２に従って生成し、画像処理部３０に与える。このとき、表示制御部７１は、ホーム画面にて最も優先度の高い表示領域Ａに、画像情報を利用者に指定させるためのカーソルを位置づけ、当該カーソルが位置づけられていることを明示するために、当該表示領域Ａを所定の拡大率で拡大したホーム画面を表す画像情報を生成する。Ｎ個の入力インターフェース２１のいずれにも画像情報が入力されていない初期状態では、ホーム画面情報ＤＳ２の初期値に従ってホーム画面が表示される。前述したように、ホーム画面情報Ｄ２には、表示領域Ａ−ｉの表示画像を示す情報として、ｉ番目の入力インターフェース２１を示すアイコンを示す識別情報が初期値として含まれている。このため、初期状態では、図５に示すように、Ｎ個の表示領域Ａに１対１に対応してＮ個の入力インターフェース２１の各々を識別するＮ個の識別画像を割り当てたホーム画面ＨＳ、すなわち表示領域Ａ−ｉにｉ番目の入力インターフェース２１のアイコンを割り当てたホーム画面ＨＳが表示部４０によって表示される。
【００２９】
また、表示制御部７１は、Ｎ個の入力インターフェース２１のいずれかについて画像情報の入力状態が未入力の状態から入力の状態に変化したことを契機として、揮発性記憶部のホーム画面情報Ｄ２をその変化に応じて更新し、更新後のホーム画面情報Ｄ２に従ってホーム画面を表示部４０に再表示させる。これにより、Ｎ個の入力インターフェース２１の入力状態の変化に応じてホーム画面が更新される。詳細については後述するが、Ｎ個の入力インターフェース２１のうちのＫ（１≦Ｋ≦Ｎ）個に画像情報が入力されている状態においては、表示制御部７１は、Ｎ個の表示領域Ａのうち予め定められた画像情報を表示する順位を示す優先度の高いＫ個の表示領域Ａには１対１に対応してＫ個の画像情報の各々の示すＫ個の画像を割り当てたホーム画面を、表示部４０に表示させる。
【００３０】
第１判定部７２は、Ｎ個の入力インターフェース２１の各々に対する外部装置からの画像情報の入力を監視し、一の入力インターフェース２１に画像情報が未入力の状態から入力の状態に変化したかを判定する。
【００３１】
特定部７４は、第１判定部７２による判定結果が肯定である場合、Ｎ個の表示領域Ａに対して予め定められた優先度に従って、Ｎ個の表示領域Ａのうち識別画像を表示中の一又は複数の表示領域Ａの中から、優先度が最も高い一の表示領域Ａを特定する。
【００３２】
第１判定部７２による判定結果が肯定である場合、表示制御部７１は、第１判定部７２により未入力の状態から入力の状態に変化したと判定済みの入力インターフェース２１に入力された画像情報に基づく画像が特定部７４により特定済みの表示領域Ａに表示されるように、揮発性記憶部のホーム画面情報Ｄ２を更新する。具体的には、表示制御部７１は、まず、上記判定済みの入力インターフェース２１に入力された画像情報からサムネイル画像を表示するためのサムネイル画像情報を生成する。次いで、表示制御部７１は、揮発性記憶部のホーム画面情報Ｄ２における上記特定済みの表示領域Ａの表示画像を示す情報を、上記サムネイル画像情報に更新する。
【００３３】
また、表示制御部７１は、特定部７４により特定済みの表示領域Ａよりも優先度の低い一又は複数の表示領域Ａに１対１に対応して、画像情報が未入力の状態の一又は複数の入力インターフェース２１の各々を示す識別画像が表示されるように、揮発性記憶部のホーム画面情報Ｄ２を更新する。より詳細に説明すると、表示制御部７１は、特定部７４により特定済みの表示領域Ａよりも優先度の低い一又は複数の表示領域について優先度の高い順に、当該表示領域の表示画像を示す情報を、画像情報が入力されていない一又は複数の入力インターフェース２１のうち表示領域Ａに未割り当てで番号の最も若い入力インターフェース２１の識別情報に更新する。
【００３４】
第２判定部７３は、Ｎ個の入力インターフェース２１のうちのＫ個に画像情報が入力されている状態において、Ｋ個の表示領域のうち優先度がｊ（１≦ｊ≦Ｋ）番目の表示領域に対応する一の入力インターフェースについて画像情報が入力の状態から未入力の状態に変化したかを判定する。
【００３５】
第２判定部７３による判定結果が肯定である場合、表示制御部７１は、優先度がｊ＋１番目からＫ番目までの一又は複数の表示領域Ａに１対１に対応して表示させている一又は複数の画像が、優先度がｊ番目からＫ−１番目までの一又は複数の表示領域Ａに１対１に対応させて表示されるように、揮発性記憶部のホーム画面情報Ｄ２を更新する。また、表示制御部７１は、第２判定部７３による判定結果が肯定である場合、第２判定部７３により入力の状態から未入力の状態に変化したと判定済みの入力インターフェース２１に対応する識別画像が、優先度がＫ番目からＮ番目までの一又は複数の表示領域Ａの一つに表示されるように、揮発性記憶部のホーム画面情報Ｄ２を更新する。具体的には、表示制御部７１は、まず、画像情報の入力状態が入力の状態から未入力の状態に変化したと第２判定部７３により判定済みの入力インターフェース２１の識別情報をＩ／Ｆ管理情報Ｄ１を参照して特定する。次いで、表示制御部７１は、揮発性記憶部のホーム画面情報Ｄ２における優先度がＫ番目の表示領域Ａの表示画像を示す情報を、上記特定済みの識別情報に更新する。
【００３６】
本実施形態の表示装置１０では、制御部７０は、図示せぬ表示装置１０の電源の投入又はリセットを契機として制御プログラムＰ１を不揮発性記憶部から揮発性記憶部に読み出し、制御プログラムＰ１の実行を開始する。制御プログラムＰ１に従って作動している制御部７０は、ホーム画面情報Ｄ２を不揮発性記憶部から揮発性記憶部に読み出し、図６のフローチャートに示す制御方法を実行する。図６に示すように、表示装置１０にて実行される制御方法には、ホーム画面表示処理ＳＡ１００、判定処理ＳＡ１１０、特定処理ＳＡ１２０、ホーム画面情報更新処理ＳＡ１３０、判定処理ＳＡ１４０、ホーム画面情報更新処理ＳＡ１５０、判定処理ＳＡ１６０、及びスリープ処理ＳＡ１７０が含まれる。
【００３７】
ホーム画面表示処理ＳＡ１００では、制御部７０は、表示制御部７１として機能し、揮発性記憶部のホーム画面情報Ｄ２に従ってホーム画面を表示部４０に表示させる。前述したように、初期状態におけるホーム画面情報Ｄ２は、Ｎ個の入力インターフェース２１の各々を示す識別情報を含む。このため、初期状態におけるホーム画面表示処理ＳＡ１００では、図５に示すように、Ｎ個の表示領域Ａに１対１に対応してＮ個の入力インターフェース２１の各々を識別するＮ個の識別画像を割り当てたホーム画面ＨＳが表示される。一方、Ｎ個の入力インターフェース２１のいずれかに、外部装置から画像情報が供給される場合、ホーム画面情報Ｄ２にしたがって表示部４０にホーム画面が表示される。この場合、画像情報に基づいて生成されるサムネイル画像が、画像情報の入力される入力インターフェース２１に対応する表示領域Ａに表示される。
【００３８】
判定処理ＳＡ１１０では、第１判定部７２として機能し、Ｎ個の入力インターフェース２１のうち、一の入力インターフェース２１に画像情報が未入力の状態から入力の状態に変化したかを判定する。判定処理ＳＡ１１０の判定結果が肯定である場合、制御部７０は特定処理ＳＡ１２０及びホーム画面情報更新処理ＳＡ１３０を実行し、その後、判定処理ＳＡ１６０を実行する。これに対して、判定処理ＳＡ１１０の判定結果が否定である場合、制御部７０は判定処理ＳＡ１４０を実行する。
【００３９】
特定処理ＳＡ１２０では、制御部７０は、特定部７４として機能する。特定処理ＳＡ１２０では、制御部７０は、Ｎ個の表示領域Ａに対して予め定められた優先度に従って、Ｎ個の表示領域Ａのうち識別画像を表示中の一又は複数の表示領域Ａの中から優先度が最も高い一の表示領域Ａを特定する。
【００４０】
ホーム画面情報更新処理ＳＡ１３０では、制御部７０は、表示制御部７１として機能する。ホーム画面情報更新処理ＳＡ１３０では、制御部７０は、特定処理ＳＡ１２０にて特定済みの表示領域Ａに、判定処理ＳＡ１１０にて未入力の状態から入力の状態に変化したと判定済みの入力インターフェース２１に入力された画像情報に基づく画像が表示されるように、揮発性記憶部のホーム画面情報Ｄ２を更新する。加えて、ホーム画面情報更新処理ＳＡ１３０では、制御部７０は、特定処理ＳＡ１２０にて特定済みの表示領域Ａよりも優先度の低い一又は複数の表示領域に１対１に対応して、未入力の状態の入力インターフェース２１の識別画像が入力インターフェース２１の番号が若い順に表示されるように、揮発性記憶部のホーム画面情報Ｄ２を更新する。
【００４１】
判定処理ＳＡ１４０では、制御部７０は、第２判定部７３として機能する。判定処理ＳＡ１４０では、制御部７０は、画像情報に基づく画像を表示中のＫ個の表示領域Ａのうち優先度がｊ（１≦ｊ＜Ｋ）番目の表示領域Ａに対応する一の入力インターフェース２１について画像情報の入力状態が入力の状態から未入力の状態に変化したかを判定する。判定処理ＳＡ１４０の判定結果が肯定である場合、制御部７０はホーム画面情報更新処理ＳＡ１５０を実行し、その後、判定処理ＳＡ１６０を実行する。これに対して、判定処理ＳＡ１４０の判定結果が否定である場合、制御部７０は、ホーム画面情報更新処理ＳＡ１５０を実行することなく、判定処理ＳＡ１６０を実行する。
【００４２】
ホーム画面情報更新処理ＳＡ１５０では、制御部７０は、表示制御部７１として機能する。ホーム画面情報更新処理ＳＡ１５０では、制御部７０は、優先度がｊ＋１番目からＫ番目までの一又は複数の表示領域Ａに１対１に対応して表示させている一又は複数の画像を、優先度がｊ番目からＫ−１番目までの一又は複数の表示領域Ａに１対１に対応させて表示されるように、揮発性記憶部のホーム画面情報Ｄ２を更新する。加えて、ホーム画面情報更新処理ＳＡ１５０では、制御部７０は、判定処理ＳＡ１４０にて画像情報の入力状態が入力の状態から未入力の状態に変化したと判定済みの入力インターフェース２１に対応する識別画像が、優先度がＫ番目の表示領域Ａに表示されるように、揮発性記憶部のホーム画面情報Ｄ２を更新する。
【００４３】
判定処理ＳＡ１６０では、制御部７０は、ホーム画面の表示終了を指示されたか否かを判定する。具体的には、制御部７０は、外部装置からの画像情報に応じた画像の表示指示をリモコン通信部２２を介して端末装置１００から受け取った場合に、ホーム画面の表示終了を指示されたと判定する。判定処理ＳＡ１６０の判定結果が肯定である場合、制御部７０は図６に示す制御方法の実行を終了し、表示を指示された画像を表示部４０に表示させる。判定処理ＳＡ１６０の判定結果が否定である場合、制御部７０はスリープ処理ＳＡ１７０を実行した後、ホーム画面表示処理ＳＡ１００を再度実行する。スリープ処理ＳＡ１７０では、制御部７０は、予め定められた時間だけ処理を停止する。
以上が表示装置１０にて実行される制御方法の流れである。
【００４４】
３．表示装置の動作  
次いで、表示装置１０の動作を説明する。
以下に説明する動作例は、時刻Ｔ０において制御プログラムＰ１の実行が開始され、その後の時刻Ｔ１、Ｔ２及びＴ３の各時刻において以下のように入力インターフェース２１の入力状態が変化する場合の動作例である。時刻Ｔ０から時刻Ｔ１に至るまでの期間は全ての入力インターフェース２１が未入力の初期状態であり、時刻Ｔ１において、入力インターフェース２１−２に図７に示す画像ＳＧ１を表す画像情報の入力が開始される。その後、時刻Ｔ２において入力インターフェース２１−４に図７に示す画像ＳＧ２を表す画像情報の入力が開始され、さらにその後の時刻Ｔ３において入力インターフェース２１−２への画像情報の入力が途絶する。なお、時刻Ｔ０から時刻Ｔ１までの期間、時刻Ｔ１から時刻Ｔ２までの期間、時刻Ｔ２から時刻Ｔ３までの期間は、いずれもスリープ処理ＳＡ１７０における処理の停止時間よりも十分に長い時間長を有する。また、図７に示す画像ＳＧ１は文書及び表の画像であり、画像ＳＧ２は月と山を被写体とする風景の画像である。また、以下に説明する動作例では、時刻Ｔ０から時刻Ｔ３に亙る期間において、表示装置１０の利用者がホーム画面の表示終了を指示することはない。
【００４５】
時刻Ｔ０では、入力インターフェース２１−１〜２１−Ｎが全て未入力の初期状態である。このため、制御部７０は、図５に示すホーム画面ＨＳを表示部４０に表示させる。以降、時刻Ｔ１に至るまでＮ個の入力インターフェース２１の入力状態は変化しないため、判定処理ＳＡ１１０及び判定処理ＳＡ１４０の判定結果は否定となり、制御部７０は判定処理ＳＡ１６０を実行する。本動作例では、ホーム画面の表示終了が指定されることはないため、判定処理ＳＡ１６０の判定結果は否定となり、制御部７０はスリープ処理ＳＡ１７０を実行する。つまり、本動作例では、時刻Ｔ１に至るまで、制御部７０は、ホーム画面表示処理ＳＡ１００，判定処理ＳＡ１１０、判定処理ＳＡ１４０、判定処理ＳＡ１６０、及びスリープ処理ＳＡ１７０の各処理を繰り返し実行する。時刻Ｔ１に至るまで、表示装置１０の揮発性記憶部のホーム画面情報Ｄ２は更新されないため、時刻Ｔ１に至るまで制御部７０は、図５に示すホーム画面ＨＳを表示部４０に表示させ続ける。
【００４６】
時刻Ｔ１において入力インターフェース２１−２の入力状態が未入力の状態から入力の状態へ切り替わった後に初めて実行される判定処理ＳＡ１１０では、判定結果が肯定となる。このため、制御部７０は、特定処理ＳＡ１２０を実行する。この時点は、表示領域Ａ−１〜Ａ−Ｎの全てに識別画像が表示されており、これらＮ個の表示領域Ａの中では表示領域Ａ−１の優先度が最も高い。このため、制御部７０は、表示領域Ａ−１を一の表示領域として特定する。特定処理ＳＡ１２０に後続して実行されるホーム画面情報更新処理ＳＡ１３０では、制御部７０は、揮発性記憶部のホーム画面情報Ｄ２を更新する。より詳細には、制御部７０は、入力インターフェース２１−２から入力される画像情報に基づくサムネイル画像が表示領域Ａ−１に表示され、入力インターフェース２１−１、２１−３〜２１−Ｎの識別画像が表示領域Ａ−２〜Ａ−Ｎに表示されるように、揮発性記憶部のホーム画面情報Ｄ２を更新する。次いで、制御部７０は、判定処理ＳＡ１６０及びスリープ処理ＳＡ１７０を実行する。
【００４７】
ホーム画面情報Ｄ２の更新直後に実行されるホーム画面表示処理ＳＡ１００では、制御部７０は、更新後のホーム画面情報Ｄ２に従って、図８に示すホーム画面を表示部４０に表示させる。時刻Ｔ２に至るまで、Ｎ個の入力インターフェース２１の入力状態は変化しないので、制御部７０は、ホーム画面表示処理ＳＡ１００，判定処理ＳＡ１１０、判定処理ＳＡ１４０、判定処理ＳＡ１６０、及びスリープ処理ＳＡ１７０の各処理を繰り返し実行する。時刻Ｔ２に至るまで、表示装置１０の揮発性記憶部のホーム画面情報Ｄ２は更新されないため、時刻Ｔ２に至るまで制御部７０は、図８に示すホーム画面ＨＳを表示部４０に表示させ続ける。
【００４８】
時刻Ｔ２において入力インターフェース２１−４の入力状態が未入力の状態から入力の状態へ切り替わった後に初めて実行される判定処理ＳＡ１１０では、判定結果が肯定となる。このため、制御部７０は、特定処理ＳＡ１２０を実行する。この時点は、表示領域Ａ−２〜Ａ−Ｎに識別画像が表示されており、これらＮ−１個の表示領域Ａの中では表示領域Ａ−２の優先度が最も高い。このため、制御部７０は、表示領域Ａ−２を一の表示領域として特定する。特定処理ＳＡ１２０に後続して実行されるホーム画面情報更新処理ＳＡ１３０では、制御部７０は、入力インターフェース２１−４から入力される画像情報に基づくサムネイル画像が表示領域Ａ−２に表示され、入力インターフェース２１−１、２１−３、２１−５〜２１−Ｎの識別画像が表示領域Ａ−３〜Ａ−Ｎに表示されるように、揮発性記憶部のホーム画面情報Ｄ２を更新する。
【００４９】
ホーム画面情報Ｄ２の更新直後に実行されるホーム画面表示処理ＳＡ１００では、制御部７０は、更新後のホーム画面情報Ｄ２に従って、図９に示すホーム画面ＨＳを表示部４０に表示させる。時刻Ｔ３に至るまで、Ｎ個の入力インターフェース２１の入力状態は変化しないので、制御部７０は、ホーム画面表示処理ＳＡ１００、判定処理ＳＡ１１０、判定処理ＳＡ１４０、判定処理ＳＡ１６０、及びスリープ処理ＳＡ１７０の各処理を繰り返し実行する。時刻Ｔ３に至るまで、表示装置１０の揮発性記憶部のホーム画面情報Ｄ２は更新されないため、時刻Ｔ３に至るまで制御部７０は、図９に示すホーム画面ＨＳを表示部４０に表示させ続ける。
【００５０】
本動作例では、時刻Ｔ３において入力インターフェース２１−２の入力状態が入力の状態から未入力の状態へ切り替わる。これは、画像情報に基づく画像を表示中の２つの表示領域Ａのうち優先度が１番目である表示領域Ａ−１に対応付けられている入力インターフェース２１−２の入力状態が入力の状態から未入力の状態に変化したことを意味する。このため、入力インターフェース２１−２の入力状態が入力の状態から未入力の状態へ切り替わった後に初めて実行される判定処理ＳＡ１４０の判定結果は肯定となり、制御部７０は、ホーム画面情報更新処理ＳＡ１５０を実行する。ホーム画面情報更新処理ＳＡ１５０では、制御部７０は、優先度が２番目の表示領域Ａ−２に表示させている画像、すなわち入力インターフェース２１−４からの画像情報に基づく画像が、優先度が１番目の表示領域Ａ−１に表示され、入力インターフェース２１−２に対応する識別画像が、優先度が２番目表示領域Ａ−２に表示されるように、揮発性記憶部のホーム画面情報Ｄ２を更新する。ホーム画面情報Ｄ２の更新直後に実行されるホーム画面表示処理ＳＡ１００では、制御部７０は、更新後のホーム画面情報Ｄ２に従って、図１０に示すホーム画面ＨＳを表示部４０に表示させる。
【００５１】
以上説明したように、表示装置１０は、表示制御部７１と、第１判定部７２と、特定部７４と、を有する。Ｎ個の入力インターフェース２１のいずれにも画像情報が未入力の状態においては、表示制御部７１は、ホーム画面に設けられるＮ個の表示領域Ａに１対１に対応してＮ個の入力インターフェース２１の各々を識別するＮ個の識別画像を表示させる。第１判定部７２は、Ｎ個の入力インターフェース２１のうち、一の入力インターフェース２１に画像情報が未入力の状態から入力の状態に変化したかを判定する。特定部７４は、第１判定部７２による判定結果が肯定である場合、Ｎ個の表示領域に対して予め定められた画像情報の表す画像を表示する順位を示す優先度に従って、Ｎ個の表示領域のうち識別画像を表示中の一又は複数の表示領域の中から、優先度が最も高い一の表示領域を特定する。そして、表示制御部７１は、一の入力インターフェースに入力された画像情報に基づく画像を一の表示領域に表示させる。また、表示制御部７１は、一の表示領域よりも優先度の低い一又は複数の表示領域に１対１に対応して、一又は複数の識別画像、すなわち、画像情報が入力されていない一又は複数の入力インターフェースの各々を利用者に識別させるための識別画像を表示させる。
【００５２】
表示装置１０においては、Ｎ個の入力インターフェース２１のいずれかに新に画像情報の入力が開始されると、第１判定部７２による判定結果が肯定となり、当該画像情報に基づく画像の表示先の表示領域、すなわち、識別画像を表示中の表示領域のうちで優先度の最も高い表示領域が、特定部７４によって特定される。そして、表示制御部７１は、新たに入力が開始された画像情報に基づく画像を、特定部７４により特定済みの表示領域に表示させる。本実施形態の表示装置１０では、Ｎ個の入力インターフェース２１のいずれかに新に画像情報の入力が開始される毎に、その時点で識別画像を表示中の表示領域のうち優先度の最も高い表示領域に当該画像情報に基づく画像が表示される。本実施形態では、利用者の注意が向き易い表示領域ほど優先度が高く定められているので、直近に入力が開始された画像の把握が容易になる。
【００５３】
また、表示装置１０は、表示制御部７１と、第２判定部７３と、を有する。表示制御部７１は、Ｎ個の入力インターフェース２１のうちのＫ個に画像情報が入力されている状態において、表示画像に設けられるＮ個の表示領域Ａのうち、予め定められた画像情報を表示する順位を示す優先度の高いＫ個の表示領域Ａには１対１に対応してＫ個の画像情報の各々の示すＫ個の画像を表示させる。第２判定部７３は、Ｋ個の表示領域Ａのうち優先度がｊ番目の表示領域Ａに対応する一の入力インターフェース２１について画像情報が入力の状態から未入力の状態に変化したかを判定する。そして、表示制御部７１は、第２判定部７３による判定結果が肯定である場合、優先度がｊ＋１番目からＫ番目までの一又は複数の表示領域Ａに１対１に対応して表示させる一又は複数の画像を、優先度がｊ番目からＫ−１番目までの一又は複数の表示領域Ａに１対１に対応させて表示させる。また、表示制御部７１は、第２判定部７３により未入力の状態に変化したと判定済みの一の入力インターフェースに対応する識別画像を、優先度がＫ番目からＮ番目までの一又は複数の表示領域Ａの一つに表示させる。このため、本実施形態の表示装置１０によれば、表示装置１０の利用者は直近に入力が途絶した入力インターフェース２１を容易に把握することができる。
【００５４】
４．その他の実施形態  
上記実施形態に以下の変形を適宜組み合わせてもよい。
【００５５】
（１）上記実施形態は、プロジェクターへの本発明の適用例であるが、携帯型ゲーム機又はスマートフォン、タブレット型端末等の携帯型情報端末、テレビジョン受像機、又はカーナビケーション装置等、表示部４０として液晶ディスプレイを有する表示装置に本発明を適用してもよい。要は、表示面に表示画像を表示する表示部と、表示面に表示させる画像を表す画像情報を入力するためのＮ個の入力インターフェースと、を有する表示装置であれば、本発明を適用可能である。
【００５６】
（２）表示装置１０に設けられる入力インターフェース２１の数Ｎに応じて、ホーム画面の表示画像を第１ページの画像と第２ページの画像とに分割し、Ｎ個の表示領域Ａのうち優先度が高い順にＭ（１≦Ｍ＜Ｎ）個の表示領域Ａを第１ページの画像に設ける一方、残りのＮ−Ｍ個の表示領域Ａを第２ページの画像に設け、表示画像をページ単位で表示部４０に表示させるようにしてもよい。図１１及び図１２は、Ｎ＝１６、Ｍ＝８の場合のホーム画面ＨＳの分割例を示す図である。図１１は、ホーム画面ＨＳの第１ページの画像ＨＳ−１の一例を示す図であり、図１２は、ホーム画面ＨＳの第２ページの画像ＨＳ−２の一例を示す図である。図１１に示すように第１ページの画像ＨＳ−１には表示領域Ａ−１〜Ａ−８が設けられており、図１２に示すように第２ページの画像ＨＳ−２には表示領域Ａ−９〜Ａ−１６が設けられている。なお、図１１における仮想操作子Ｂ−１は、第２ページへのページ切り替えを利用者に指示させるための仮想操作子であり、図１２における仮想操作子Ｂ−２は、第１ページへのページ切り替えを利用者に指示させるための仮想操作子である。
【００５７】
この態様によれば、表示領域ＡのサイズをＮの増加に応じて小さくする必要はなく、ホーム画面の視認性が低下することを回避することができる。このように、ホーム画面の表示画像を第１ページの画像と第２ページの画像とに分割する態様においては、第１ページの画像及び第２ページの画像のうち特定部７４により特定済みの表示領域Ａが設けられていないページの画像を表示部４０に表示させている状態において、第１判定部７２の判定結果が肯定である場合、当該表示領域Ａが設けられているページの画像を表示部４０に表示させることが好ましい。表示装置１０の利用者にページ切り替えの操作を行わせることなく、直近に入力が開始された画像を把握させることができるからである。
【００５８】
（３）ホーム画面ＨＳが有するＮ個の表示領域Ａのうちの一又は複数に識別画像が表示されている状況下で当該一又は複数の識別画像のいずれかを指定する操作が利用者によって為された場合には、当該指定された識別画像の示す入力インターフェース２１に対する外部装置の接続の仕方をガイドするガイド画面を表示部４０又は端末装置１００に表示させるようにしてもよい。
【００５９】
（４）上記実施形態における表示制御部７１、第１判定部７２、第２判定部７３及び特定部７４の各部は、ソフトウェアである制御プログラムＰ１に従ってコンピューターが実現するソフトウェアモジュールであった。しかし、表示制御部７１、第１判定部７２、第２判定部７３及び特定部７４の各部をＡＳＩＣ等のハードウェアで実現し、これらハードウェアと、Ｉ／Ｆ部２０と、画像処理部３０と、表示部４０と、記憶部５０と、を組み合わせて表示装置１０を構成してもよい。
【００６０】
（５）ホーム画面情報更新処理ＳＡ１３０に代えて以下のホーム画面情報更新処理を制御部７０に実行させてもよい。まず、特定処理ＳＡ１２０にて特定済みの表示領域Ａには、判定処理ＳＡ１１０にて未入力状態から入力状態に変化したと判定される入力インターフェース２１に入力されている画像情報に基づく画像が表示されるように、揮発性記憶部のホーム画面情報Ｄ２を更新させる。加えて、当該入力インターフェース２１を示す識別画像を表示していた表示領域Ａには、上記特定済みの表示領域Ａに表示されていた識別画像が表示されるように、揮発性記憶部のホーム画面情報Ｄ２を更新させる。この態様であっても、上記実施形態と同じ効果が奏されるからである。
【００６１】
（６）上記実施形態では、制御部７０を、表示制御部７１と、第１判定部７２と、第２判定部７３と、特定部７４と、して機能させる制御プログラムＰ１が記憶部５０に予め記憶されていた。しかし、一般的なコンピューターを、表示制御部７１と、第１判定部７２と、第２判定部７３と、特定部７４と、して機能させるプログラムを単体で製造し、配布してもよい。従来の表示装置のコンピューターを当該プログラムに従って作動させることで、従来の表示装置を表示装置１０として機能させることが可能になるからである。なお、上記プログラムの具体的な配布方法としては、フラッシュＲＯＭ（Read Only Memory）等のコンピューター読み取り可能な記録媒体に上記プログラムを書き込んで配布する態様や、インターネット等の電気通信回線経由のダウンロードにより配布する態様が考えられる。
【符号の説明】
【００６２】
１…表示システム、１０…表示装置、２０…Ｉ／Ｆ部、２１，２１−１〜２１−Ｎ…入力インターフェース、２２…リモコン通信部、３０…画像処理部、４０…表示部、４１…光源、４２…光変調装置、４３…投射光学系、５０…記憶部、７０…制御部、７１…表示制御部、７２…第１判定部、７３…第２判定部、７４…特定部、１００…端末装置、２００…外部装置、ＨＳ…ホーム画面、Ａ，Ａ−１〜Ａ−Ｎ…表示領域。
【図１】
2020201371.tif 000003
【図２】
2020201371.tif 000004
【図３】
2020201371.tif 000005
【図４】
2020201371.tif 000006
【図５】
2020201371.tif 000007
【図６】
2020201371.tif 000008
【図７】
2020201371.tif 000009
【図８】
2020201371.tif 000010
【図９】
2020201371.tif 000011
【図１０】
2020201371.tif 000012
【図１１】
2020201371.tif 000013
【図１２】
2020201371.tif 000014
【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
画像情報を入力するためのＮ（Ｎは２以上の整数）個の入力インターフェースと表示面に表示画像を表示する表示部とを備える表示装置の制御方法であって、
前記Ｎ個の入力インターフェースのいずれにも画像情報が未入力の状態において、表示画像に設けられるＮ個の表示領域に１対１に対応して前記Ｎ個の入力インターフェースの各々を識別するＮ個の識別画像を前記表示部に表示させ、
前記Ｎ個の入力インターフェースのうち、一の入力インターフェースに画像情報が未入力の状態から入力の状態に変化したかを判定し、
前記判定の結果が肯定である場合、前記Ｎ個の表示領域に対して予め定められた画像情報を表示する順位を示す優先度に従って、前記Ｎ個の表示領域のうち識別画像を表示中の一又は複数の表示領域の中から、前記優先度が最も高い一の表示領域を特定し、
前記判定の結果が肯定である場合、前記一の表示領域に、前記一の入力インターフェースに入力された画像情報に基づく画像を前記表示部に表示させ、
前記判定の結果が肯定である場合、前記一の表示領域よりも前記優先度の低い一又は複数の表示領域に１対１に対応して一又は複数の識別画像を前記表示部に表示させ、
前記一又は複数の識別画像は、前記画像情報が入力されていない一又は複数の入力インターフェースの各々と１対１に対応する、表示装置の制御方法。
【請求項２】
前記Ｎ個の入力インターフェースは、第１番目から第Ｎ番目の入力インターフェースであり、
前記一の表示領域よりも前記優先度の低い一又は複数の表示領域に１対１に対応して、前記優先度の高い順に、画像情報が入力されていない一又は複数の入力インターフェースの番号の若い順に前記一又は複数の識別画像を前記表示部に表示させる、
請求項１に記載の表示装置の制御方法。
【請求項３】
前記Ｎ個の識別画像は、前記Ｎ個の入力インターフェースと１対１に対応するＮ個のアイコンである、請求項１又は請求項２に記載の表示装置の制御方法。
【請求項４】
前記表示画像は、第１ページの画像と第２ページの画像とを含み、
前記Ｎ個の表示領域のうち前記優先度が高い順にＭ（１≦Ｍ＜Ｎ）個の表示領域は前記第１ページの画像に設けられ、残りのＮ−Ｍ個の表示領域は前記第２ページの画像に設けられ、前記表示画像をページ単位で前記表示部に表示させる、請求項１乃至３のいずれか１項に記載の表示装置の制御方法。
【請求項５】
前記第１ページの画像及び前記第２ページの画像のうち前記一の表示領域が設けられていないページの画像が前記表示部に表示される状態において、前記判定の結果が肯定である場合、前記一の表示領域が設けられているページの画像を前記表示部に表示させる、請求項４に記載の表示装置の制御方法。
【請求項６】
画像情報を入力するためのＮ（Ｎは２以上の整数）個の入力インターフェースと表示面に表示画像を表示する表示部とを備える表示装置の制御方法であって、
前記Ｎ個の入力インターフェースのうちのＫ（１≦Ｋ≦Ｎ）個に画像情報が入力されている状態において、表示画像に設けられるＮ個の表示領域のうち、予め定められた画像情報を表示する順位を示す優先度の高いＫ個の表示領域には、１対１に対応して前記Ｋ個の画像情報の各々の示すＫ個の画像を表示させ、
前記Ｋ個の表示領域のうち前記優先度がｊ（１≦ｊ＜Ｋ）番目の表示領域に対応する一の入力インターフェースについて画像情報が入力の状態から未入力の状態に変化したかを判定し、
前記判定の結果が肯定である場合、前記優先度がｊ＋１番目からＫ番目までの一又は複数の表示領域に１対１に対応して表示させる一又は複数の画像を、前記優先度がｊ番目からＫ−１番目までの一又は複数の表示領域に１対１に対応させて表示させ、
前記判定の結果が肯定である場合、前記一の入力インターフェースに対応する識別画像を、前記優先度がＫ番目からＮ番目までの一又は複数の表示領域の一つに表示させる、表示装置の制御方法。
【請求項７】
表示面に表示画像を表示する表示部と、
前記表示面に表示させる画像を表す画像情報を入力するためのＮ（Ｎは２以上の整数）個の入力インターフェースと、
前記Ｎ個の入力インターフェースのいずれにも画像情報が未入力の状態において、前記表示画像に設けられるＮ個の表示領域に１対１に対応して前記Ｎ個の入力インターフェースの各々を識別するＮ個の識別画像を前記表示部に表示させる表示制御部と、
前記Ｎ個の入力インターフェースのうち、一の入力インターフェースに画像情報が未入力の状態から入力の状態に変化したかを判定する判定部と、
前記判定部による判定結果が肯定である場合、前記Ｎ個の表示領域に対して予め定められた画像情報を表示する順位を示す優先度に従って、前記Ｎ個の表示領域のうち識別画像を表示中の一又は複数の表示領域の中から、前記優先度が最も高い一の表示領域を特定する特定部と、を備え、
前記表示制御部は、
前記一の入力インターフェースに入力された画像情報に基づく画像を前記一の表示領域に表示させ、
前記一の表示領域よりも前記優先度の低い一又は複数の表示領域に１対１に対応して、一又は複数の識別画像を前記表示部に表示させ、
前記一又は複数の識別画像は、画像情報が入力されていない一又は複数の入力インターフェースと１対１に対応する、表示装置。
【手続補正２】
【補正対象書類名】明細書
【補正対象項目名】０００５
【補正方法】変更
【補正の内容】
【０００５】
以上の課題を解決するために、本発明に係る表示装置の制御方法は、画像情報を入力するためのＮ（Ｎは２以上の整数）個の入力インターフェースと表示面に表示画像を表示する表示部とを備える表示装置の制御方法であって、前記Ｎ個の入力インターフェースのいずれにも画像情報が未入力の状態において、表示画像に設けられるＮ個の表示領域に１対１に対応して前記Ｎ個の入力インターフェースの各々を識別するＮ個の識別画像を前記表示部に表示させ、前記Ｎ個の入力インターフェースのうち、一の入力インターフェースに画像情報が未入力の状態から入力の状態に変化したかを判定し、前記判定の結果が肯定である場合、前記Ｎ個の表示領域に対して予め定められた画像情報を表示する順位を示す優先度に従って、前記Ｎ個の表示領域のうち識別画像を表示中の一又は複数の表示領域の中から、前記優先度が最も高い一の表示領域を特定し、前記判定の結果が肯定である場合、前記一の表示領域に、前記一の入力インターフェースに入力された画像情報に基づく画像を前記表示部に表示させ、前記判定の結果が肯定である場合、前記一の表示領域よりも前記優先度の低い一又は複数の表示領域に１対１に対応して一又は複数の識別画像を前記表示部に表示させ、前記一又は複数の識別画像は、前記画像情報が入力されていない一又は複数の入力インターフェースの各々と１対１に対応する、ことを特徴とする。